(57)【要約】【課題】直管との接続部において局所的な逆勾配や、隙間を生じない異型管を提供する。【解決手段】管底接合用異型管すなわち、連結対象となる直管（吸水管と集水管と）が径の異なる場合に、中心揃えではなく、本管の底と枝管の底とを揃えた異型管をもちいて接合する。Ｔ字管、Ｙ字管、Ｌ字管に用いることができる。下底揃えとしての使い方が通常であるが、上底揃えとして用いて逆さに使うこともできる。地球にやさしい素焼土管として作ることができる。【選択図】図１
2011017228.tif 000002
【特許請求の範囲】
【請求項１】
暗渠排水工事において径の異なる吸水管と集水管とを接合すべく、集水管に接合する本管と、吸水管に接合する枝管とからなる異型管であって、
前記本管の底と前記枝管の底との高さを揃えて成型した
ことを特徴とする管底接合用異型管。
【請求項２】
請求項１に記載した管底接合用異型管であって、
前記吸水管と前記集水管とを直交させるべく、前記本管と前記枝管とが９０度で交わるＴ字管の形状をもつ
ことを特徴とする管底接合用異型管。
【請求項３】
請求項１に記載した管底接合用異型管であって、
前記吸水管と前記集水管とを４５度で交わらせるべく、前記本管と前記枝管とが４５度で交わるＹ字管の形状をもつ
ことを特徴とする管底接合用異型管。
【発明の詳細な説明】
【技術分野】
【０００１】
本発明は、暗渠排水土管、とりわけ異型管（継ぎ手管とも呼ばれることがある）に関する。
【背景技術】
【０００２】
暗渠排水土管は、主に農業用で水田、畑等の余剰水を排出させる為の暗渠排水資材として使用される素焼土管で、管の直径はФ６ｃｍ、９ｃｍ、１２ｃｍ、１５ｃｍ、２０ｃｍと５種類あり、Ф６ｃｍ〜１５ｃｍまでが長さ３０ｃｍ、Ф２０ｃｍは長さ６０ｃｍあり管の厚さは１０ｍｍ〜２０ｍｍある。
非特許文献１に示されるように、従来の異型管（継ぎ手管）は、Ｔ字、Ｙ字のものがある。異型管は、吸水渠の直管と集水渠の直管とが９０度又は４５度の角度で交わる連結部分に使われる。規格として９×９、１２×９、１２×１２、１５×９、１５×１２、１５×１５、２０×９、２０×１２、２０×１５、２０×２０などがある。ここで、たとえば、９×９は、９センチの内径を持つ直管と９センチの内径を持つ直管とを連結する異型管であることを意味する。
【０００３】
特許文献１に添付された図（図８，９，１０）にＴ字管の斜視図、Ｙ字管の斜視図、径の異なる直管を連結するＴ字管の斜視図が示されている。
【０００４】
本願の図２には、合成樹脂製の異型管（Ｔ字管）の例を示している。図２は、従来型の合成樹脂製異型管（Ｔ字管）を示す図面代用写真である。この例は径の異なる直管を連結するものである。また、図１０には、合成樹脂製の異型管（落差継ぎ手）が示されている。図１０は、長尺の合成樹脂管を用いる施工例において、集水管部分をさらに掘り下げて落差継ぎ手を用いるケースを示した図である。長尺の合成樹脂管には図１０のように集水管部分をさらに掘り下げて施工する落差継ぎ手も現存するようだが、一般的な暗渠排水工事の設計ではこのようなケースはなく、一定勾配を取った平面で設計施工が行われている。
【先行技術文献】
【特許文献】
【０００５】
【特許文献１】特開平７−１５８０４０号公報
【非特許文献】
【０００６】
【非特許文献１】ホクレン農業協同組合連合会  施設資材部  資材課著「土管取り扱いマニュアル」2006年2月22日作成  http://www.shizai.hokuren.or.jp/Manual/Pdf/Manual_11.pdf
【発明の概要】
【発明が解決しようとする課題】
【０００７】
異型管、ことに内径の異なる直管を連結する異型管に着目すると、特許文献１に示される例、図２の合成樹脂管に示される例、いずれにおいても、連結対象となる直管の中心軸同士が同一の平面内にあって交わるよう構成されている（中央揃え、中心揃え）。
【０００８】
このことにより生じる課題を図３，４，７，８，９を参照しつつ説明する。連結させる直管の内径が異なること、中心軸を同一の平面内で交わらせること、連結させる直管の肉厚はほぼ同じであること、この三つのことから導かれるのは、連結対象となる直管の外側同士は同じ平面上にないこと、そしていずれかの場所に隙間（すきま）が生じることである。
【０００９】
図３は、従来型の異型管と吸水渠の接続をした様子を示す図面代用写真である。図３に示すように、径の小さい直管を連結させようとするときに多くの施工者は、可能なら径の小さい直管（吸水渠）を異型管に差し込もうとする。この異型管が吸水渠を集水渠に連結するものであることを考えると、この差込により水の流れに対して部分的に逆勾配を形成してしまうことになる。この逆勾配は、水の流れを妨げるのみならず吸水渠と渠底との間に隙間を生じさせ、不正常な土砂の流れの原因となることが懸念される。
【００１０】
図４は、従来型の異型管と吸水渠の接続をした様子をよりわかりやすくするために水平方向にアングルを変えて撮影した図面代用写真である。吸水渠の６センチ管と異型管の受け口の高さが違うため６センチ管と渠底に隙間ができる、との説明が付してある。
【００１１】
図８は、径の小さい直管を異型管の受け口に差し込んだときの課題を説明する図である。図８のように、径の小さい直管を異型管の受け口に差し込むと、逆勾配が生じるだけでなく、隣の直管との間で隙間が生じ、図８の矢印で示す部分から土砂等の流入が懸念される。
【００１２】
図９は、径の小さい直管を異型管に接続する際に、差し込まずに、渠底に置いたときの課題を説明する図である。図９に示すように、径の小さい直管同士は適切な間を置いて並べられるが、直管と異型管との間には、上部と下部の双方に隙間が生じる。図９に描いた三つの矢印は、土砂の流入があり得ることを示している。また、図９に描いた矩形は、土砂の流入を嫌って矩形で囲まれた部分を何らかのほかの部材にて覆うことがあることを示している。直管や異型管が素焼土管という地球環境にやさしい材料でできているにもかかわらず、他の部材を用いる場合には、環境汚染の問題が生じ得る。
【００１３】
図７は、異型管の枝管と同じ径の直管を並べた際に隙間が生じることを説明する図である。図７の異型管は、枝管と本管とが中央揃えされて構成されているものである。したがって、同一の平面内に直管と異型管とを置くと、図７のように下の部分に隙間が生じる。その結果、図７の三つの矢印に示すような土砂の流入があり得る。
【００１４】
このような図３，４，７，８，９に見られる隙間は、土砂、疎水材（地上や地中の余剰水が排水管へスムーズに達する様に土を埋め戻す前に３０〜４０ｃｍほど砂利など透水性の良い物を埋設している）などの流入を招き、管を閉塞させてしまうと考えられる。それにより排水効果を下げるばかりでなく、本来の排水機能寿命を短くしてしまうこととなる。解決しようとする課題は、直管との接続部において局所的な逆勾配や、隙間を生じない異型管を提供することにある。
【課題を解決するための手段】
【００１５】
本発明は、管底接合用異型管すなわち、連結対象となる直管が径の異なる場合に、中心揃えではなく、本管の底と枝管の底とを揃えた異型管を構成することを最も主要な特徴とする。
【発明の効果】
【００１６】
本発明の管底接合用異型管は、1）施工時、施工後に外部から管内への土砂・異物の流入を防ぐ事ができる。2）局所的に生じる逆勾配から懸念される管の閉塞を解消できる。3）従来に比べ排水の流れに負荷を与えずスムーズに排水できる。4）土砂の流入を懸念し隙間を無くすための異物等を使わずに済む。5）施工時に従来行って来た管を差し込む、紐を巻くなどの余分な作業がなくなる。6）本管（異型ではない直管）と同様に置くだけのワンタッチである。7）本品を見た使用者（施工者）がどう使う部品なのか瞬時に分かる形状である。8)集水管を吸水渠よりも低い位置に設ける場合には、ほぼ逆さにして用いることができる。9)素焼土管として形成することにより環境にやさしい。
【図面の簡単な説明】
【００１７】
【図１】図１は、本発明に係る管底接合用異型管と従来の異型管との比較をする図面代用写真である。
【図２】図２は、従来型の合成樹脂製異型管（Ｔ字管）を示す図面代用写真である。
【図３】図３は、従来型の異型管と吸水渠の接続をした様子を示す図面代用写真である。
【図４】図４は、従来型の異型管と吸水渠の接続をした様子をよりわかりやすくするために水平方向にアングルを変えて撮影した図面代用写真である。
【図５】図５は、本発明に係る管底接合用異型管と吸水渠とを接続したときに、渠底との間に隙間が生じないことを示す図面代用写真である。
【図６】図６は、本発明にかかる管底接合用異型管を吸水管と並べた様子を横から見た図である。
【図７】図７は、異型管の枝管と同じ径の直管を並べた際に隙間が生じることを説明する図である。
【図８】図８は、径の小さい直管を異型管の受け口に差し込んだときの課題を説明する図である。
【図９】図９は、径の小さい直管を異型管に接続する際に、差し込まずに、渠底に置いたときの課題を説明する図である。
【図１０】図１０は、長尺の合成樹脂管を用いる施工例において、集水管部分をさらに掘り下げて落差継ぎ手を用いるケースを示した図である。
【図１１】図１１は、くし形配線と呼ばれる主に水田で多く設計される暗渠配線のパターンを集水管の側から立体的に見た図である。
【図１２】図１２は、くし形配線と呼ばれる主に水田で多く設計される暗渠配線のパターンを上空から見た平面図である。
【図１３】図１３（ａ）は、本発明に係る管底接合用異型管のうちＴ字管を通常の使用態様にて置いた状態を上から見た平面図である。図１３（ｂ）は、本発明に係る管底接合用異型管のうちＴ字管を本管（集水管）の軸方向からみた外観を示す図である。図１３（ｃ）は、本発明に係る管底接合用異型管のうちＴ字管を径の大きい口を下にして立てた状態を、径の小さい側から見た外観を示す図である。図１３（ｄ）は、本発明に係る管底接合用異型管のうちＴ字管を枝管（吸水管）の軸方向からみた外観を示す図である。図１３（ｅ）は、本発明に係る管底接合用異型管のうちＴ字管を、枝管（吸水管）の中心軸を含み、本管（集水管）の中心軸とは直交する平面で切った図である。図１３（ｆ）は、本発明に係る管底接合用異型管のうちＴ字管を、枝管（吸水管）の中心軸に直交する平面で切った図である。
【図１４】図１４（ａ）は、本発明に係る管底接合用異型管のうちＹ字管を通常の使用態様にて置いた状態を上から見た図である。図１４（ｂ）は、本発明に係る管底接合用異型管のうちＹ字管を本管（集水管）の軸方向からみた外観を示す図である。図１４（ｃ）は、本発明に係る管底接合用異型管のうちＹ字管を径の大きい口を下にして立てた状態を、径の小さい側から見た外観を示す図である。図１４（ｄ）は、本発明に係る管底接合用異型管のうちＹ字管を図１４（ａ）の向かって右方向から見た外観を示す図である。図１４（ｅ）は、本発明に係る管底接合用異型管のうちＹ字管を、枝管を縦割りし、本管を横割して切った図である。図１４（ｆ）は、本発明に係る管底接合用異型管のうちＹ字管を、本管と枝管とのつなぎ部分が内側から見えるように本管を縦割りして切った図である。
【図１５】図１５は、直管の形状及び寸法を示す図である。
【図１６】図１６は、Ｔ字管の形状及び寸法を示す図である。
【図１７】図１７は、Ｙ字管の形状及び寸法を示す図である。
【図１８】図１８は、Ｌ字管の形状及び寸法を示す図である。
【図１９】図１９は、吸水管の勾配が集水管に到達する手前２ｍ程度まで一定勾配が保たれ、集水手前２ｍの区間で集水管へ摺り付けを行うことを説明する図である。
【図２０】図２０は、吸水管の勾配が小さい個所（集水上流側）において管底接合用異型管（Ｔ字）を用いて吸水管と集水管との下底を揃えつつ吸水管と集水管とを接合する様子を示す断面図である。
【図２１】図２１は、吸水管の勾配が大きい個所（集水下流側）において管底接合用異型管（Ｔ字）を用いて集水管の上部から水を流れ込ませるようにして吸水管と集水管とを接合する様子を示す平面図である。
【図２２】図２２は、吸水管の勾配が大きい個所（集水下流側）において管底接合用異型管（Ｔ字）を用いて集水管の上部から水を流れ込ませるようにして吸水管と集水管とを接合する様子を示す断面図である。
【発明を実施するための形態】
【００１８】
以下、図１，５，６，１１〜１８を参照しつつ、本発明に係る管底接合用異型管の実施形態について説明する。
【００１９】
図１は、本発明に係る管底接合用異型管と従来の異型管との比較をする図面代用写真である。図１の向かって左に撮影されている異型管は、従来からある中央ぞろえの異型管（Ｔ字管）である。それに対し、向かって右に撮影されている本発明に係る管底接合用異型管は、接合対象となる吸水管と集水管との底の高さが一致するように揃えられている。
【００２０】
図５は、本発明に係る管底接合用異型管と吸水渠とを接続したときに、渠底との間に隙間が生じないことを示す図面代用写真である。図５では、ダンボール箱を二つ並べて同一の高さの平面としそれを吸水渠の渠底と見立てて、その上に吸水管（直管）を向かって右側に、本発明に係る管底接合用異型管（Ｔ字管）を左側に並べたものである。集水管（直管）は省略してあるが、本発明に係る管底接合用異型管（Ｔ字管）の開放された口に集水管が接続される。
【００２１】
図６は、本発明にかかる管底接合用異型管を吸水管と並べた様子を横から見た図である。非特許文献１に示されるように、従来の異型管の規格には枝管が６センチのものはなかった。最も細いもので９センチであった。本発明に係る管底接合用異型管では、枝管が内径６センチのものも用意した。また、枝管をつける際、従来のような中心揃えではなく、中心を下げて、底を揃えるようにして製造することにより、隙間、逆勾配をなくすることができた。
【００２２】
図１１は、くし形配線と呼ばれる主に水田で多く設計される暗渠配線のパターンを集水管の側から立体的に見た図である。吸水渠底１００は、ほぼ水平に近い平面であり、集水管２００に近い側が若干低くなる勾配がついている。吸水渠１０１，１０２，１０３，１０４，１０５は、吸水渠底１００の上に、ほぼ等間隔で互いに平行に設けられた吸水管の列である。多くの場合、内径６センチ、長さ３０センチのものが用いられる。素焼の土管は、管の切り口の凹凸により管の継ぎ目には平均１ミリメートルの隙間ができる。吸水は、大部分が管の継ぎ目からなされる。管壁からの吸水もあるが、継ぎ目からのそれにくらべると小さい。
【００２３】
吸水渠にて吸水された水は、集水管２００に集められる。集水管２００は、集水上流側２１０から集水下流側２９０に向けて下がっていくような勾配が設けられている。図１１では、勾配を誇張して描いてある。吸水渠から集水管に向けての摺り付けは集水管２００の手前２メートルの距離からなされる。
【００２４】
図１２は、くし形配線と呼ばれる主に水田で多く設計される暗渠配線のパターンを上空から見た平面図である。吸水渠１１１〜１１９は、それぞれ内径６センチ、長さ３０センチの吸水管をつなげて構成される。図１２では、上の方に集水管があり、図の左が集水上流側、右が集水下流側であって、最も下流の部分には、水甲が設けられ、排水される。集水管は、上流側では内径６センチのものが用いられるが、下流に行くにしたがって、９センチ、１２センチ、１５センチと徐々に太くなっていく。
【００２５】
実際の設計施工では吸水管（主にФ６ｃｍ）と集水管（主にФ９〜１５ｃｍ）が縦横に交差することがほとんどでＴ字、Ｙ字、Ｌ字などの異型管が必要となる。Ｔ字の本管をそれぞれ９ｃｍ、１２ｃｍ、１５ｃｍ、として置いた場合の枝管にそれぞれ６ｃｍ管を付けた管を造ることとした。そして、本管が枝管に付ける６ｃｍ管より大きな口径（９、１２、１５ｃｍ）の場合、従来ある
Ｔ字、Ｙ字は本管の中心を軸として中心揃えで枝管を付けているため地面に水平に置くと枝管は本管に対し上向きの状態となり、排水は枝管から本管へ流れる施工となるため局所的に勾配が逆になりスムーズな水流の妨げとなってしまう。そこで、本管に対して枝管を付ける際本管の中心ではなく位置を下げ、地面に水平に置いた際に本管、枝管ともに底面が隙間無く設置されるよう管底接合型のＴ字管、Ｙ字管を作成することとした。
【００２６】
図１３（ａ）は、本発明に係る管底接合用異型管のうちＴ字管を通常の使用態様にて置いた状態を上から見た平面図である。図１３（ａ）の上下に延びる本管１１と右に延びる枝管１２とからなる。本管１１の内径と枝管１２の内径とは同じ場合もあるが、異なる場合には枝管１２の内径が本管１１の内径よりも小さい。そして本管１１の底と枝管１２の底がいずれも同一平面上にある。図１３（ａ）では、吸水渠底に本管１１の底と枝管１２の底のいずれもが接して置かれている状態を上から見ている。
【００２７】
図１３（ｂ）は、本発明に係る管底接合用異型管のうちＴ字管を本管（集水管）の軸方向からみた外観を示す図である。言い換えると図１３（ａ）の上方向から見た図である。図１３（ｂ）を見ることで本管１１の底と枝管１２の底とが同一平面上にあることがわかる。本管１１の内径は６センチから２０センチの間の値、すなわち６センチ、９センチ、１２センチ、１５センチ、２０センチが用意される。図１２に示したように、集水管は上流側では細いもので足りる。それに対し下流側では順次、より太いものが必要である。それに呼応して吸水管と集水管とを接合するＴ字管の本管部分も太さのさまざまなものが必要となる。
【００２８】
図１３（ｃ）は、本発明に係る管底接合用異型管のうちＴ字管を径の大きい口を下にして立てた状態を、径の小さい側から見た外観を示す図である。言い換えると図１３（ａ）の向かって右側から見た図である。本管１１の右側の底と枝管１２の右側の底とが同一平面上にあることがわかる。
【００２９】
図１３（ｄ）は、本発明に係る管底接合用異型管のうちＴ字管を枝管（吸水管）の軸方向からみた外観を示す図である。通常の使用態様において吸水渠底に置かれた状態を枝管（吸水管）の側からみたものである。枝管１２の内径は６センチから２０センチまでのさまざまなものを用意する。吸水管の大半は６センチ径のものが使われるので、Ｔ字管の枝管も内径６センチが多く用いられるが、実際の施工にあたっては、典型的なくし型暗渠パターン以外にもイレギュラーなパターンが出てくる。そこで、さまざまな内径のものの需要がある。
【００３０】
図１３（ｅ）は、本発明に係る管底接合用異型管のうちＴ字管を、枝管（吸水管）の中心軸を含み、本管（集水管）の中心軸とは直交する平面で切った図である。枝管１２を構成する底に当たる線が本管１１の断面の円に接する状況が描かれている。これにより本管１１と枝管１２とが底を共通として接合されることがわかる。ひいてはこの異型管により接合される吸水管と集水管とがすきまなくつながれることになる。
【００３１】
図１３（ｆ）は、本発明に係る管底接合用異型管のうちＴ字管を、枝管（吸水管）の中心軸に直交する平面で切った図である。本管１１の管壁と枝管１２とが交わる部分が楕円形状に見えている。円筒と平面との交わりならば円になるが、円筒と円筒との交わりなので、楕円になる。本発明に係る異型管を素焼土管として製造する際には、原料を練ってできた土管素地の形を整えて成形する際に、枝管と本管との交わる部分の図形がどうなるかを把握して枝管のもととなる部分を土管素地がやわらかいうちに切る治具（じぐ）、本管のもととなる部分をやわらかいうちに切る治具を事前につくり、その治具にあわせてやわらかい材料をピアノ線などをつかって切り取り、やわらかい材料のうちに枝管と本管とを合わせて成形し、成形したのち、乾燥工程、及び焼成工程に入ることになる。
【００３２】
図１４（ａ）は、本発明に係る管底接合用異型管のうちＹ字管を通常の使用態様にて置いた状態を上から見た図である。本管２１と枝管２２とが４５度の角度で交わる異型管である。このＹ字管は、Ｔ字管と同様に本管２１と枝管２２とが同径の場合もあるが、異なる場合には、枝管２２が本管２１よりも小さい。そして本管２１との底と枝管２２の底がいずれも同一平面上にある。図１３（ａ）では、吸水渠底に本管２１の底と枝管２２の底のいずれもが接して置かれている状態を上から見ている。
【００３３】
図１４（ｂ）は、本発明に係る管底接合用異型管のうちＹ字管を本管（集水管）の軸方向からみた外観を示す図である。言い換えると図１４（ａ）の上方向から見た図である。図１４（ｂ）を見ることで本管２１の底と枝管２２の底とが同一平面上にあることがわかる。本管２１の内径は６センチから２０センチの間の値、すなわち６センチ、９センチ、１２センチ、１５センチ、２０センチが用意される。図１２に示したように、集水管は上流側では細いもので足りる。それに対し下流側では順次、より太いものが必要である。それに呼応して吸水管と集水管とを接合するＴ字管の本管部分も太さのさまざまなものが必要となる。
【００３４】
図１４（ｃ）は、本発明に係る管底接合用異型管のうちＹ字管を径の大きい口を下にして立てた状態を、径の小さい側から見た外観を示す図であるである。言い換えると図１４（ａ）の向かって右側から見た図である。本管２１の右側の底と枝管２２の右側の底とが同一平面上にあることがわかる。
【００３５】
図１４（ｄ）は、本発明に係る管底接合用異型管のうちＹ字管を図１４（ａ）の向かって右方向から見た外観を示す図である。通常の使用態様において吸水渠底に置かれた状態を枝管（吸水管）の側からみたものである。枝管２２の内径は６センチから２０センチまでのさまざまなものを用意する。吸水管の大半は６センチ径のものが使われるので、Ｔ字管の枝管も内径６センチが多く用いられるが、実際の施工にあたっては、典型的なくし型暗渠パターン以外にもイレギュラーなパターンが出てくる。そこで、さまざまな内径のものの需要がある
【００３６】
図１４（ｅ）は、本発明に係る管底接合用異型管のうちＹ字管を、枝管を縦割りし、本管を横割して切った図である。これにより本管２１と枝管２２とが底を共通として接合されることがわかる。ひいてはこの異型管により接合される吸水管と集水管とがすきまなくつながれることになる
【００３７】
図１４（ｆ）は、本発明に係る管底接合用異型管のうちＹ字管を、本管と枝管とのつなぎ部分が内側から見えるように本管を縦割りして切った図である。本管２１の管壁と枝管２２とが交わる部分が楕円形状に見えている。円筒と平面との交わりならば円になるが、円筒と円筒との交わりであり、しかも斜め４５度で交わっているのでＴ字管よりももっといびつな楕円になる。本発明に係る異型管を素焼土管として製造する際には、原料を練ってできた土管素地の形を整えて成形する際に、枝管と本管との交わる部分の図形がどうなるかを把握して枝管のもととなる部分を土管素地がやわらかいうちに切る治具（じぐ）、本管のもととなる部分をやわらかいうちに切る治具を事前につくり、その治具にあわせてやわらかい材料をピアノ線などをつかって切り取り、やわらかい材料のうちに枝管と本管とを合わせて成形し、成形したのち、乾燥工程、及び焼成工程に入ることになる。
【００３８】
図１５は、直管の形状及び寸法を示す図である。直管は、吸水渠を構成する吸水管、または集水管に用いられる。内径Ｄは６センチ、９センチ、１２センチ、１５センチ、２０センチの種類があり、長さＬは、３０センチ（内径が６〜１５センチ）または６０センチ（内径が２０センチ）である。管壁の外側には、溝がついたもの（図１，３，４，５の図面代用写真）と溝のないものとがある。
【００３９】
図１６は、Ｔ字管の形状及び寸法を示す図である。本管の内径Ｄ１と枝管の内径Ｄ２との組合せで表が作成されている。図１６の表はミリメートル単位で表示してある。センチメートル単位で表示して、９×９、１２×９、１２×１２、１５×９、１５×１２、１５×１５、２０×９、２０×１２、２０×１５、２０×２０のものは中央揃えの異型管として従来からあった。本発明に係る管底接合用異型管を製造するにあたって、従来からあるサイズで中央揃えであったものを管底接合用異型管に変えて製造しただけでなく、あらたなサイズのものも提供することとした。６×６、９×６、１２×６、１５×６、２０×６の５種類のサイズのものである。これにより地形の変化や、地盤の固有の事情などにより、イレギュラーな暗渠パターンの施工をせざるを得ない場合などに柔軟に対応可能となった。
【００４０】
図１７は、Ｙ字管の形状及び寸法を示す図である。Ｔ字管の場合と同様に、９×９、１２×９、１２×１２、１５×９、１５×１２、１５×１５、２０×９、２０×１２、２０×１５、２０×２０のものは中央揃えの異型管として従来からあった。本発明に係る管底接合用異型管を製造するにあたって、従来からあるサイズで中央揃えであったものを管底接合用異型管に変えて製造しただけでなく、あらたなサイズのものも提供することとした。６×６、９×６、１２×６、１５×６、２０×６の５種類のサイズのものである。これにより地形の変化や、地盤の固有の事情などにより、イレギュラーな暗渠パターンの施工をせざるを得ない場合などに柔軟に対応可能となった
【００４１】
図１８は、Ｌ字管の形状及び寸法を示す図である。Ｌ字管は、図１８に示す形状の異型管であり、本管の内径Ｄ１と枝管のＤ２とが同一のもののみ需要がある。９×９、１２×１２、１５×１５、２０×２０のサイズは、従来からあった。この発明の実施にあたって、６×６のＬ字管をあらたに製造することとした。交わる角度は９０度以外に４５度をも提供する。
【実施例１】
【００４２】
上述した実施形態にあっては、管底接合異型管の意味が管の底を下と考えて、下底揃えの意味であった。それに対して実施例１は、上底揃えといえるものである。この実施例１について図１９、２０、２１，２２を参照しつつ説明する。
【００４３】
図１９は、吸水管の勾配が集水管に到達する手前２ｍ程度まで一定勾配が保たれ、集水手前２ｍの区間で集水管へ摺り付けを行うことを説明する図である。吸水管を連ねてなる吸水渠１２３，１２４，１２５，１２６，１２７，１２８，１２９は、ゆるやかな勾配で集水手前２ｍまで構成されている。集水管２００の近辺においては、集水管２００自体が集水上流から集水下流に向けて勾配を持つ必要があることから、吸水管から集水管への摺り付けは、集水上流側ではゆるやかな勾配でなされ、集水下流側ではより急な勾配でなされる。
【００４４】
図２０は、吸水管の勾配が小さい個所（集水上流側）において管底接合用異型管（Ｔ字）を用いて吸水管と集水管との下底を揃えつつ吸水管と集水管とを接合する様子を示す断面図である。集水上流側にあっては、集水管は比較的高い位置にあるので、吸水管と集水管との下底を揃えてつなぐことが自然になされる。
【００４５】
図２１は、吸水管の勾配が大きい個所（集水下流側）において管底接合用異型管（Ｔ字）を用いて集水管の上部から水を流れ込ませるようにして吸水管と集水管とを接合する様子を示す平面図である。集水下流側では、集水管自体の勾配のために、集水管が低い位置に下がっている。したがって、吸水管からの水の流れは集水管の上部から流し込むことが自然である。つまり、管底接合用異型管を使うのに、管底を下底ではなく、上底と考えて、逆さにして用いるものである。そのことを次の図２２において、断面を描いてよりわかりやすく説明する。
【００４６】
図２２は、吸水管の勾配が大きい個所（集水下流側）において管底接合用異型管（Ｔ字）を用いて集水管の上部から水を流れ込ませるようにして吸水管と集水管とを接合する様子を示す断面図である。集水管の下半分に水が流れているときであっても、上半分は空間があると考えられる。したがって、吸水管からの水をスムーズに受け入れられる。
【実施例２】
【００４７】
本発明に係る管底接合用異型管は、接合の際の隙間ができることを防ぎ、土砂によるつまりを防止する、吸水、排水をスムーズに行う、という効果から見ると、その材質は塩化ビニールや、合成樹脂もありえる。その場合の製造は、型を作ってそれに合わせて成型するという周知のやり方が用いられる。
【００４８】
しかし、環境へのやさしさを考慮すると、寿命がきたら土に還るという素焼土管の良さが好ましい。素焼土管により異型管を作る製造方法については、図１３（ｆ），図１４（ｆ）を参照しつつ段落番号００３１，００３７においても言及した。共通する事柄についてここにまとめて記載する。素焼土管の生産工程は主原料の粘土を管の口径ごとにある金型を通し筒状に押し出して成型し、切断工程、乾燥工程、焼成工程を経て完成させるようになっている。切断工程の際には、まだ原料がやわらかい状態であることから、Ｔ字管、Ｙ字間、Ｌ字管それぞれにひつような切り取り治具をあらかじめ用意しておけば、ピアノ線などをもちいて加工することができる。そうしてできた部品を合わせて、つながる部分をやわらかい粘土で練りこみ埋めて均す作業を丁寧におこなうことで、合体させる。そうして、次の乾燥工程、焼成工程へと進む。
【産業上の利用可能性】
【００４９】
水田、畑などに用いる暗渠排水工事に用いる。
【符号の説明】
【００５０】
１１  Ｔ字管本管
１２  Ｔ字管枝管
２１  Ｙ字管本管
２２  Ｙ字管枝管
１００  吸水渠底
１０１，１０２，１０３，１０４，１０５，１１１，１１２，１１３，１１４，１１５，１１６，１１７，１１８，１１９，１２３，１２４，１２５，１２６，１２７，１２８，１２９  吸水渠
２００  集水管
２１０  集水上流側
２９０  集水下流側
【図６】
2011017228.tif 000003
【図７】
2011017228.tif 000004
【図８】
2011017228.tif 000005
【図９】
2011017228.tif 000006
【図１０】
2011017228.tif 000007
【図１１】
2011017228.tif 000008
【図１２】
2011017228.tif 000009
【図１３】
2011017228.tif 000010
【図１４】
2011017228.tif 000011
【図１５】
2011017228.tif 000012
【図１６】
2011017228.tif 000013
【図１７】
2011017228.tif 000014
【図１８】
2011017228.tif 000015
【図１９】
2011017228.tif 000016
【図２０】
2011017228.tif 000017
【図２１】
2011017228.tif 000018
【図２２】
2011017228.tif 000019
【図１】
2011017228.tif 000020
【図２】
2011017228.tif 000021
【図３】
2011017228.tif 000022
【図４】
2011017228.tif 000023
【図５】
2011017228.tif 000024